(57)【特許請求の範囲】
【請求項１】
中底上に足裏形状に対応する平面形状の敷き革が配置されて成るヒール付きの靴において、中底と敷き革との間には、足の踵の位置に、下面に対して上面が内側から外側へ低く傾斜する傾斜面の踵支持板が配設され、足の土踏まずの位置に、土踏まずのアーチに対応する形状の当て板が配設されるとともに、足の中足骨の位置に、中底の幅より小幅の弾性を有する中足骨支持板が、足の第１指の中足骨が内側縁よりはみ出し、かつ足の第２指〜第５指の中足骨骨頭部が前端縁よりはみ出すように配設されて成るヒール付きの靴。
【請求項２】
前記中足骨支持板は、後部から前部にかけて次第に肉厚が厚くなるように形成されており、中足骨支持板の前端縁と中底の上面との間には段差が生じ、中足骨支持板の後端縁と中底の上面との間は連続している請求項１に記載されたヒール付きの靴。
【請求項３】
前記踵支持板と中足骨支持板は中底の上面に、前記当て板は敷き革の下面に、それぞれ貼着されている請求項１に記載されたヒール付きの靴。
【発明の詳細な説明】
【技術分野】
【０００１】
この発明は、ヒールを備えたパンプスなどの靴に関するもので、特にこの発明は、外反足に伴う障害の発生を抑制する機能を有するヒール付きの靴に関する。
【背景技術】
【０００２】
人間の歩行のメカニズムは、まず足の踵が着地し（この段階を「接衝期」という。）、その後、踵にかかった重心が前足部の第５指の中足骨骨頭部から第１指（以下「拇指」ともいう。）の中足骨骨頭部へ移動して安定した立位となり（この段階を「中立期」という。）、その後、背屈位で主として第１指の中足骨骨頭部（以下「拇指球」ともいう。）を支点として床面が蹴り上げられて離床する（この段階を「離床期」という。）、というものである。この歩行のメカニズムに沿った理想的な歩行が行われることによって、身体各部への負担が少なくなり、種々の足の障害の発生を防止できる。
【０００３】
上記の正しい歩行は、正常な足の人でないと行うことができず、大部分の人は足になんらかの欠陥や障害を有しているため、そのような正しい歩行は容易でない。ここで、「正常な足」とは、図７に示すように、足の距骨Ａに対して距骨下関節Ｂおよび踵骨Ｃが真っ直ぐに延びた足のことであり、踵骨Ｃは地面に対して垂直である。女性の大半は、図８，９に示すように、距骨Ａに対して距骨下関節Ｂや踵骨Ｃが外側へ反っている足、すなわち、踵が内側に彎曲してしまった足（これを「外反足」という。）になっており、接衝期から中立期に入ったとき、拇指の側に過度な荷重がかかって歩行中にオーバープロネーション（過外反運動）を引き起こし、その結果、拇指は付け根から外側に向けて次第に歪み、外反母趾のような障害が生じる。なお、図７〜図９は右足を示している。
【０００４】
上記の外反足に伴う障害の発生を抑制するため、出願人は先般、下面に対して上面が内側から外側へ低く傾斜する傾斜面の傾斜板を踵部に用いた履物を提案した（例えば、特許文献１参照）。この履物では、足の荷重が傾斜板の傾斜面に作用すると、荷重に対する傾斜面からの抗力の外向きの水平分力が距骨下関節Ｂや踵骨Ｃの外側への反りを矯正する力として作用するので、拇指の側に過度な荷重がかからず、オーバープロネーションの発生が抑制される。
【先行技術文献】
【特許文献】
【０００５】
【特許文献１】特開２００６−１９８００７号公報
【発明の概要】
【発明が解決しようとする課題】
【０００６】
ところで、パンプスのようなヒールの高い靴では、ヒールが着地するとすぐに蹴り上げ動作へ移行することから、接衝期がきわめて短く、また、中立期の安定した着地もなく、外反足の人は、前足部（指骨に対応する部分）が内側へ倒れ込む。このため、前記の傾斜板による距骨下関節Ｂや踵骨Ｃの外側への反りの矯正作用だけでは、拇指の側へ荷重がかかり過ぎるのを十分に防止できず、蹴り上げ動作時の拇指球に対する負荷が大きくなり、オーバープロネーションの発生を抑制できない。その結果、拇指は付け根から外側に向けて次第に歪み、外反母趾になり易い。さらに、ヒールが高いことで、接衝期が殆どなく、しかも、重心が靴中で足のつま先の側に移行するため、足の第１指〜第５指の中足骨骨頭部に掛かる荷重と衝撃とが大きなものとなり、中足骨骨頭部に痛みを生じさせる。
【０００７】
この発明は、上記の問題に着目してなされたもので、外反足の人であっても、拇指の側へ荷重がかかり過ぎるのを防止してオーバープロネーションの発生を抑制し、加えて、足の第１指〜第５指の中足骨骨頭部に掛かる荷重と衝撃とを緩和して中足骨骨頭部の痛みを軽減したヒール付きの靴を提供することを目的とする。
【課題を解決するための手段】
【０００８】
この発明によるヒール付きの靴は、中底上に足裏形状に対応する平面形状の敷き革が配置されて成るものにおいて、中底と敷き革との間には、足の踵の位置に、下面に対して上面が内側から外側へ低く傾斜する傾斜面の踵支持板が配設され、足の土踏まずの位置に、土踏まずのアーチに対応する形状の当て板が配設されるとともに、足の中足骨の位置に、中底の幅より小幅の弾性を有する中足骨支持板が、足の第１指の中足骨が内側縁よりはみ出し、かつ足の第２指〜第５指の中足骨骨頭部が前端縁よりはみ出すように配設されて成るものである。
【０００９】
この発明によるヒール付きの靴において、足の荷重が踵支持板の傾斜面に作用すると、荷重に対する傾斜面からの抗力の外向きの水平分力が距骨下関節や踵骨の外側への反りを矯正する力として作用するので、拇指の側に荷重がかかり過ぎるのが防止され、オーバープロネーションの発生が抑制される。
【００１０】
ヒール付きの靴では、ヒールが着地するとすぐに蹴り上げ動作へ移行する結果、接衝期がきわめて短く、中立期の安定した着地もないので、上記の踵支持板による距骨下関節や踵骨の制御だけではオーバープロネーションの発生を抑制するのに十分でなく、外反足の人は前足部が内側へ倒れ込む。しかし、足の土踏まずの位置に、土踏まずのアーチに対応する形状の当て板を配設しているので、前足部の内側への倒れ込みが阻止され、その結果、拇指の側へ荷重がかかり過ぎることがなく、蹴り上げ動作時の拇指球に対する負荷が小さくなり、オーバープロネーションの発生が抑制される。
【００１１】
さらに、足の中足骨の位置に、中底の幅より小幅の弾性を有する中足骨支持板が足の第１指の中足骨が内側縁よりはみ出し、かつ足の第２指〜第５指の中足骨骨頭部が前端縁よりはみ出すように配設されているので、拇指球は中底の上面から離れて強く接触せず、蹴り上げ動作時、足の第２指〜第５指の中足骨骨頭部の基端部に荷重がかかって拇指球への負荷は一層小さくなる。その結果、オーバープロネーションの発生が十分に抑制され、外反母趾を生じさせない。
さらに、ヒールが高いことで、接衝期が殆どなく、しかも、重心が靴中で足のつま先の側に移行しているが、足の第２指〜第５指の中足骨骨頭部に掛かる荷重は弾性を有する中足骨支持板によって支持されて各中足骨骨頭部に作用する衝撃が緩和される。また、足の第２指〜第５指の中足骨骨頭部は、中足骨支持板の前端縁と中底の上面との間に生じる段差によって中底の上面から離れ、中底の上面に強く突き当たらないので、中足骨骨頭部の痛みが軽減される。
【００１２】
上記の踵支持板、中足骨支持板、および当て板は、中底の上面または敷き革の下面に固着されるが、好ましい実施態様においては、踵支持板と中足骨支持板は中底の上面に、当て板は敷き革の下面に、それぞれ貼着されている。
【００１３】
この発明の好ましい実施態様においては、前記中足骨支持板は、後部から前部にかけて次第に肉厚が厚くなるように形成されており、中足骨支持板の前端縁と中底の上面との間には段差が生じ、中足骨支持板の後端縁と中底の上面との間は連続している。
【００１４】
この実施態様によると、中足骨支持板の前端縁と中底の上面との間に中足骨支持板の厚みに応じた段差が生じるので、足の第２指〜第５指の中足骨骨頭部の基端部が弾性を有する中足骨支持板の前端縁に支持され、第２指〜第５指の中足骨骨頭部は中底の上面に突き当たらず、中足骨骨頭部に痛みを感じさせない。一方、中足骨支持板の後端縁と中底の上面との間は連続しているので、中足骨支持板が存在することによる違和感がない。
【発明の効果】
【００１５】
この発明によると、外反足の人であっても、拇指の側へ荷重がかかり過ぎるのを防止してオーバープロネーションの発生を抑制でき、しかも、足の第１指〜第５指の中足骨骨頭部に掛かる荷重と衝撃とを緩和して中足骨骨頭部の痛みを軽減できる。
【図面の簡単な説明】
【００１６】
【図１】この発明の実施例について敷き革を除いて表した平面図である。
【図２】図１の実施例の縦断面である。
【図３】当て板の形状と貼付状態とを示す敷き革の裏面図である。
【図４】図３のＡ−Ａ線に沿う断面図である。
【図５】靴の外形および内部構成を足の骨格とともに示した平面図である。
【図６】踵支持板の幅方向に沿う断面図である。
【図７】足の踵の骨格を示す背面図である。
【図８】外反足の骨格を示す背面図である。
【図９】外反足の骨格を示す背面図である。
【発明を実施するための形態】
【００１７】
図１はこの発明の一実施例である婦人靴の内部構造を、図２は図１の婦人靴の長さ方向に沿う縦断面を、それぞれ示している。
図示例の婦人靴は、ヒール１０の高いパンプス１であり、１１が甲革、１２が表底、１３が中底、１４が履き口である。中底１３の上面には足裏形状にほぼ一致する平面形状の敷き革２が配置されている。敷き革２と中底１３との間には、敷き革２の下面または中底１３の上面のいずれかに貼着された踵支持板３、当て板４、および中足骨支持板５が介装されている。なお、図示例は右足のパンプスを示すが、左足も同様であり、ここでは説明を省略する。
【００１８】
敷き革２は人工皮革などで形成され、裏面には、図３および図４に示すように、クッション材より成るシート状の裏地２０が貼設されている。裏地２０の外形と中底１３の外形とはほぼ一致するが、敷き革２の外形は裏地２０の外形よりひと回り大きい。敷き革２は土踏まずの部分が裏地２０の縁より外側へ突出している。この突出部分２１は、パンプス１の中底１３上に敷き革２を配置したとき、土踏まずの位置で中底１３の外形よりはみ出し、履き口１４に向けて折り曲がる。
【００１９】
踵支持板３、当て板４、および中足骨支持板５は、図５に示すように、足９の所定の骨格各部に対応させて位置決め配置されている。なお、図５において、一点鎖線で示す外形線は敷き革２の輪郭を、実線で示す外形線は足９の輪郭を、足９の輪郭内の実線は骨格を、それぞれ示している。
同図中、９１ａ〜９１ｅは足９の第１指〜第５指の指骨である。第１指（拇指）の指骨９１ａは基節骨９２ａと末節骨９３ａとで構成される。第２指〜第５指の各指骨９１ｂ〜９１ｅは基節骨９２ｂ〜９２ｅと末節骨９３ｂ〜９３ｅと中接骨９４ｂ〜９４ｅとで構成される。９５ａ〜９５ｅは第１指〜第５指の中足骨であり、９６ａ〜９６ｅは第１指〜第５指の中足骨骨頭部である。９７は踵骨、９８は土踏まずである。
【００２０】
中底１３の上面の足の踵骨９７の位置には、薄板状の踵支持板３が接着剤により貼設されている。踵支持板３はエチレン−酢酸ビニル共重合体（ＥＶＡ）のような比較的硬いクッション材を用いて形成され、その平面形状は後部から両側部にかけて円曲し、前部は直線である。踵支持板３は、図６に示すように、上面３１および下面３２が平坦であり、上面３１は下面３２に対して内側（第１指の側）から外側（第５指の側）へ低く傾斜する傾斜面になっている。この傾斜面の傾斜角θは１度〜４度の角度範囲に含まれるように設定される。
【００２１】
この踵支持板３には円形の貫通孔３３が形成されるとともに、この貫通孔３３には低反発ウレタンフォームのような円板状の弾性体３４が嵌め込まれている。この弾性体３４は足の荷重により踵の形状に沿って貫通孔３３内で圧縮変形するもので、足底筋膜と踵骨との付着部分に現れた骨棘による接衝期の痛みを緩和する働きがある。つまり、外反足の人が歩行時にオーバープロネーションになることで足底筋膜が伸展して緊張状態となり、その結果、足底筋膜と踵骨との付着部分に異常なストレスがかかって前記の付着部分に炎症がおき、それが長期間にわたると、骨棘が徐々に現れてくる。この骨棘が出現すると、接衝期に強い痛みを伴うことになり、その痛みを前記の弾性体３４が緩和するものである。
【００２２】
敷き革２の下面の足の土踏まず９８の位置には、足９の土踏まず９８の縦横の各アーチに対応する立体形状を有する当て板４が貼着されている。この実施例の当て板４は低反発ウレタンフォームのようなクッション材により形成されている。
【００２３】
中底１３の上面の足の第２指〜第５指の中足骨９５ｂ〜９５ｅの位置には、中底１３の幅より小さな幅の中足骨支持板５が、足の第１指の中足骨９５ａが内側縁５１よりはみ出し、かつ足の第２指〜第５指の中足骨骨頭部９６ｂ〜９６ｅが前端縁５２よりはみ出すように接着剤により貼設されている。中足骨支持板５は、中程度の硬さのクッション材により形成され、後部から前部にかけて次第に肉厚が厚くなるように形成されている。中足骨支持板５の前端縁５２は相応の厚みを有し、中底１３の上面との間に段差５５が生じている。一方、中足骨支持板５の後端縁５３は肉厚が薄く、中底１３の上面との間は段差が生じることなく連続している。
【００２４】
上記した構成のパンプス１を履いたとき、足の荷重が踵支持板３の上面３１の傾斜面に作用すると、荷重に対する傾斜面からの抗力の外向きの水平分力が距骨下関節や踵骨の外側への反りを矯正する力として作用するので、拇指の側に荷重がかかり過ぎるのが防止され、オーバープロネーションの発生が抑制される。
【００２５】
パンプス１を履いて歩行するとき、ヒール１０が着地するとすぐに蹴り上げ動作へ移行する結果、接衝期がきわめて短く、中立期の安定した着地もないので、踵支持板３による距骨下関節や踵骨の制御だけではオーバープロネーションの発生を抑制するのに十分でなく、外反足の人は前足部が内側へ倒れ込む。
この発明によるパンプス１では、上記の踵支持板３に加えて、足の土踏まず９８の位置に、土踏まず９８の縦横のアーチに対応する立体形状の当て板４を配設しているので、前足部の内側への倒れ込みが阻止される。その結果、拇指の側へ荷重がかかり過ぎることがなく、蹴り上げ動作時の第１指の中足骨骨頭部９６ａ（拇指球）に対する負荷が小さくなり、オーバープロネーションの発生が抑制されるとともに、土踏まず９８のアーチの低下が防止される。
【００２６】
さらに、この発明によるパンプス１は、足の第２指〜第５指の中足骨９５ｂ〜９５ｅの位置に、中足骨支持板５が足の第１指の中足骨９５ａが内側縁５１よりはみ出し、かつ足の第２指〜第５指の中足骨骨頭部９６ｂ〜９６ｅが前端縁５２よりはみ出すように配設されているので、第１指の中足骨骨頭部９６ａ、すなわち、拇指球は中底１３の上面から離れて強く接触せず、蹴り上げ動作時、足の第２指〜第５指の中足骨骨頭部９６ｂ〜９６ｅの基端部に荷重がかかって拇指球への負荷は一層小さくなる。その結果、オーバープロネーションの発生が十分に抑制され、外反母趾を生じさせない。
【００２７】
さらに、ヒール１０が高いことで、接衝期が殆どなく、しかも、重心が靴中で足のつま先の側に移行しているが、足の第２指〜第５指の中足骨骨頭部９６ｂ〜９６ｅに掛かる荷重は弾性を有する中足骨支持板５によって支持されて中足骨骨頭部９６ｂ〜９６ｅに作用する衝撃は緩和される。また、足の第２指〜第５指の中足骨骨頭部９６ｂ〜９６ｅは、中足骨支持板５の前端縁５２と中底１３の上面との間に生じる段差によって中底１３の上面から離れ、中底１３の上面に強く突き当たらないので、中足骨骨頭部９６ｂ〜９６ｅの痛みが軽減される。
【００２８】
特に、この実施態様では、中足骨支持板５の前端縁５２と中底１３の上面との間に中足骨支持板５の前端縁５２の厚みに応じた段差５５が生じるので、足の第２指〜第５指の中足骨骨頭部９６ｂ〜９６ｅの基端部分が弾性を有する中足骨支持板５の前端縁５２に支持され、足の第２指〜第５指の中足骨骨頭部９６ｂ〜９６ｅが中底１３の上面に強く突き当たるのが防止されるので、中足骨骨頭部９６ｂ〜９６ｅに痛みを感じさせない。一方、中足骨支持板５の後端縁５３と中底１３の上面との間は連続しているので、中足骨支持板５が存在することの違和感がない。
【００２９】
したがって、外反足の人であっても、拇指の側へ荷重がかかり過ぎるのを防止してオーバープロネーションの発生を抑制でき、しかも、足の第１指〜第５指の中足骨骨頭部９６ａ〜９６ｅに掛かる荷重と衝撃とを緩和して中足骨骨頭部の痛みを軽減できる。
【符号の説明】
【００３０】
１    パンプス
２    敷き革
３    踵支持板
４    当て板
５    中足骨支持板
１０  ヒール
１３  中底
５１  中足骨支持板の内側縁
５２  中足骨支持板の前端縁
５３  中足骨支持板の後端縁
５５  段差
９５ａ〜９５ｅ  中足骨
９６ａ〜９６ｅ  中足骨骨頭部
【図１】
0005431070.tif 000002
【図２】
0005431070.tif 000003
【図３】
0005431070.tif 000004
【図４】
0005431070.tif 000005
【図５】
0005431070.tif 000006
【図６】
0005431070.tif 000007
【図７】
0005431070.tif 000008
【図８】
0005431070.tif 000009
【図９】
0005431070.tif 000010